【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
回転軸線を中心として回転するロータの外周を覆い、周方向の一部を形成する第一周割ケーシングと該周方向の他の一部を形成する第二周割ケーシングとが締結具で接続されているガスタービンケーシングの組立分解治具において、
前記第一周割ケーシングと前記第二周割ケーシングとのうち、一方の周割ケーシングに固定される固定部と、該固定部から延びて他方の周割ケーシングの外面に対向するジャッキ受け部とを有する、
ことを特徴とするガスタービンケーシングの組立分解治具。
【請求項２】
請求項１に記載のガスタービンケーシングの組立分解治具において、
前記第一周割ケーシング及び前記第二周割ケーシングは、それぞれ、互いに対向して前記締結具で接続されるフランジ部を有しており、
前記固定部は、前記一方の周割ケーシングの前記フランジ部に固定され、前記ジャッキ受け部は、前記他方の周割ケーシングの前記フランジ部に対向する、
ことを特徴とするガスタービンケーシングの組立分解治具。
【請求項３】
請求項１又は２に記載のガスタービンケーシングの組立分解治具において、
前記ジャッキ受け部に、前記他方の周割ケーシングの外面と間隔をあけて対向し、前記回転軸線に対する径方向に垂直な径方向受け面が形成されている、
ことを特徴とするガスタービンケーシングの組立分解治具。
【請求項４】
請求項１から３のいずれか一項に記載のガスタービンケーシングの組立分解治具において、
前記ジャッキ受け部及び前記固定部には、前記回転軸線が延びる軸方向の一方の側を向き且つ該軸方向に垂直な軸方向受け面が形成されている、
ことを特徴とするガスタービンケーシングの組立分解治具。
【請求項５】
請求項１から４のいずれか一項に記載のガスタービンケーシングの組立分解治具を複数備え、
複数の前記組立分解治具のうちの一部は、前記第一周割ケーシングに固定される前記固定部を有する第一径方向治具を成し、複数の該組立分解治具のうちの他の一部は、前記第二周割ケーシングに固定される前記固定部を有する第二径方向治具を成す、
ことを特徴とするガスタービンケーシングの組立分解治具セット。
【請求項６】
請求項５に記載のガスタービンケーシングの組立分解治具セットにおいて、
一対の前記第一径方向治具と、一対の前記第二径方向治具とを備え、
一対の前記第一径方向治具のうち、一方の該第一径方向治具は、前記第一周割ケーシングの周方向の一端部に固定される前記固定部を有し、他方の該第一径方向治具は、該第一周割ケーシングの周方向の他端部に固定される前記固定部を有し、
一対の前記第二径方向治具のうち、一方の該第二径方向治具は、前記第二周割ケーシングの周方向の一端部に固定される前記固定部を有し、他方の該第二径方向治具は、該第二周割ケーシングの周方向の他端部に固定される前記固定部を有する、
ことを特徴とするガスタービンケーシングの組立分解治具セット。
【請求項７】
請求項１から４のいずれか一項に記載のガスタービンケーシングの組立分解治具を少なくとも一対備え、
一対の前記組立分解治具は、それぞれ径方向治具を成し、一方の径方向治具は、前記一方の周割ケーシングの周方向の一端部に固定される前記固定部を有し、他方の径方向治具は、該一方の周割ケーシングの周方向の他端部に固定される前記固定部を有する、
ことを特徴とするガスタービンケーシングの組立分解治具セット。
【請求項８】
請求項１から４のいずれか一項に記載のガスタービンケーシングの組立分解治具を複数備え、
複数の前記組立分解治具は、それぞれ軸方向治具を成し、一部の軸方向治具は、第一軸方向治具として前記第一周割ケーシングに固定される前記固定部を有し、他の一部の軸方向治具は、第二軸方向治具として、いずれかの該第一軸方向治具と組を成し、該組を成す該第一軸方向治具と前記回転軸線が延びる軸方向に間隔をあけて、前記第二周割ケーシングに固定される前記固定部を有し、
前記第一軸方向治具の前記ジャッキ受け部と、該第一軸方向治具と組を成す前記第二軸方向治具の前記固定部とには、それぞれ、前記軸方向で互いに間隔をあけて対向する軸方向受け面が形成されている、
ことを特徴とするガスタービンケーシングの組立分解治具セット。
【請求項９】
請求項８に記載のガスタービンケーシングの組立分解治具セットにおいて、
一対の前記第一軸方向治具と、一対の該第一軸方向治具と組を成す一対の前記第二軸方向治具とを備え、
一対の前記第一軸方向治具のうち、一方の該第一軸方向治具は、前記第一周割ケーシングの周方向の一端部に固定される前記固定部を有し、他方の該第一軸方向治具は、該第一周割ケーシングの周方向の他端部に固定される前記固定部を有し、
一対の前記第二軸方向治具のうち、一方の該第二軸方向治具は、前記一方の第一軸方向治具と前記軸方向に間隔をあけて、前記第二周割ケーシングの周方向の一端部に固定される前記固定部を有し、他方の該第二軸方向治具は、前記他方の第一軸方向治具と前記軸方向に間隔をあけて、該第二周割ケーシングの周方向の他端部に固定される前記固定部を有する、
ことを特徴とするガスタービンケーシングの組立分解治具セット。
【請求項１０】
請求項１から４のいずれか一項に記載のガスタービンケーシングの組立分解治具と、
前記第一周割ケーシング及び前記第二周割ケーシングを有する前記ガスタービンケーシングと、
を備えていることを特徴とするガスタービン。
【請求項１１】
請求項５から９のいずれか一項に記載のガスタービンケーシングの組立分解治具セットと、
前記第一周割ケーシング及び前記第二周割ケーシングを有するガスタービンケーシングと、
を備えていることを特徴とするガスタービン。
【請求項１２】
回転軸線を中心として回転するロータの外周を覆い、周方向の一部を形成する第一周割ケーシングと該周方向の他の一部を形成する第二周割ケーシングとが締結具で接続されるガスタービンケーシングの組立方法において、
前記第一周割ケーシングと前記第二周割ケーシングとのうち、一方の周割ケーシングに固定される固定部と、該固定部から延びて他方の周割ケーシングの外面に対向するジャッキ受け部とが形成されている組立分解治具を準備する治具準備工程と、
前記第一周割ケーシングと前記第二周割ケーシングとのうち、周方向の両端部における径方向の間隔が狭い一方の周割ケーシングに前記組立分解治具の前記固定部を固定する治具固定工程と、
前記第二周割ケーシングを前記第一周割ケーシングと対向するよう配置する周割ケーシング配置工程と、
前記第一周割ケーシングと前記第二周割ケーシングとのうち、周方向の両端部における径方向の間隔が狭い前記一方の周割ケーシングに固定されている前記組立分解治具の前記ジャッキ受け部と、周方向の両端部における径方向の間隔が広い他方の周割ケーシングの外面との間にジャッキを配置するジャッキ配置工程と、
前記ジャッキの両端部の間隔を広げて、前記他方の周割ケーシングの周方向の両端部における径方向の間隔を狭め、前記一方の周割ケーシングの周方向の両端部に該他方の周割ケーシングの周方向の両端部を対向させるジャッキ操作工程と、
前記両端部が互いに対向している前記一方の周割ケーシングと前記他方の周割ケーシングとを前記締結具で接続するケーシング接続工程と、
を実行することを特徴とするガスタービンケーシングの組立方法。
【請求項１３】
回転軸線を中心として回転するロータの外周を覆い、該回転軸線が延びている軸方向の一部を形成する中央側ケーシングと該中央側ケーシングに対して該軸方向の端側を形成する端側ケーシングとが第一締結具で接続されているガスタービンケーシングであって、
前記中央側ケーシングは、その周方向の一部を形成する中央側第一周割ケーシングと、周方向の他の一部を形成する中央側第二周割ケーシングとが第二締結具で接続されて構成されており、前記端側ケーシングは、その周方向の一部を形成して前記中央側第一周割ケーシングと前記軸方向で隣り合って前記第一締結具で接続されている端側第一周割ケーシングと、周方向の他の一部を形成して前記中央側第二周割ケーシングと前記軸方向で隣り合って前記第一締結具で接続されている端側第二周割ケーシングとが、第三締結具で接続されて構成されているガスタービンケーシングの分解方法において、
前記端側第一周割ケーシングと前記端側第二周割ケーシングとのうち、一方の周割ケーシングに固定される固定部と、該固定部から延びて他方の周割ケーシングの外面に対向するジャッキ受け部とが形成されている複数の組立分解治具を準備する治具準備工程と、
複数の前記組立分解治具のうち、第一組立分解治具の前記固定部を前記端側第一周割ケーシングに固定し、該第一組立分解治具の前記ジャッキ受け部と前記軸方向で間隔をあけて第二組立分解治具の前記固定部が対向するよう該固定部を前記端側第二周割ケーシングに固定する治具固定工程と、
前記中央側第一周割ケーシングと前記中央側第二周割ケーシングとを接続している前記第二締結具を外し、前記端側第一周割ケーシングと前記端側第二周割ケーシングとを接続している前記第三締結具を外し、前記中央側第二周割ケーシングと前記端側第二周割ケーシングとを接続している前記第一締結具を外す締結具外し工程と、
前記第一組立分解治具の前記ジャッキ受け部と前記第二組立分解治具の前記固定部との間、又は、前記第一組立分解治具の前記固定部と前記第二組立分解治具の前記ジャッキ受け部との間にジャッキを配置するジャッキ配置工程と、
前記ジャッキの両端部の間隔を広げて、前記中央側第二周割ケーシングから前記端側第二周割ケーシングを前記軸方向に離すジャッキ操作工程と、
前記端側第二周割ケーシングが前記軸方向で離れている状態で前記中央側第二周割ケーシングを前記中央側第一周割ケーシングから離す中央側ケーシング外し工程と、
を実行することを特徴とするガスタービンケーシングの分解方法。
【手続補正２】
【補正対象書類名】明細書
【補正対象項目名】０００６
【補正方法】変更
【補正の内容】
【０００６】
ガスタービンを修理・点検する場合には、ガスタービンケーシングを分解する必要がある。このガスタービンケーシングは自重や熱により経年変形するため、ガスタービンケーシングの分解や分解後の組立が困難になる場合がある。
【手続補正３】
【補正対象書類名】明細書
【補正対象項目名】００１２
【補正方法】変更
【補正の内容】
【００１２】
次に、中央側第一周割ケーシングと中央側第二周割ケーシングとを接続している第二締結具を外し、端側第一周割ケーシングと端側第二周割ケーシングとを接続している第三締結具を外し、中央側第二周割ケーシングと端側第二周割ケーシングとを接続している第一締結具を外す。
【手続補正４】
【補正対象書類名】明細書
【補正対象項目名】００５１
【補正方法】変更
【補正の内容】
【００５１】
また、上記目的を達成するためのガスタービンケーシングの分解方法は、
回転軸線を中心として回転するロータの外周を覆い、該回転軸線が延びている軸方向の一部を形成する中央側ケーシングと該中央側ケーシングに対して該軸方向の端側を形成する端側ケーシングとが第一締結具で接続されているガスタービンケーシングであって、前記中央側ケーシングは、その周方向の一部を形成する中央側第一周割ケーシングと、周方向の他の一部を形成する中央側第二周割ケーシングとが第二締結具で接続されて構成されており、前記端側ケーシングは、その周方向の一部を形成して前記中央側第一周割ケーシングと前記軸方向で隣り合って前記第一締結具で接続されている端側第一周割ケーシングと、周方向の他の一部を形成して前記中央側第二周割ケーシングと前記軸方向で隣り合って前記第一締結具で接続されている端側第二周割ケーシングとが、第三締結具で接続されて構成されているガスタービンケーシングの分解方法において、
前記端側第一周割ケーシングと前記端側第二周割ケーシングとのうち、一方の周割ケーシングに固定される固定部と、該固定部から延びて他方の周割ケーシングの外面に対向するジャッキ受け部とが形成されている複数の組立分解治具を準備する治具準備工程と、複数の前記組立分解治具のうち、第一組立分解治具の前記固定部を前記端側第一周割ケーシングに固定し、該第一組立分解治具の前記ジャッキ受け部と前記軸方向で間隔をあけて第二組立分解治具の前記固定部が対向するよう該固定部を前記端側第二周割ケーシングに固定する治具固定工程と、前記中央側第一周割ケーシングと前記中央側第二周割ケーシングとを接続している前記第二締結具を外し、前記端側第一周割ケーシングと前記端側第二周割ケーシングとを接続している前記第三締結具を外し、前記中央側第二周割ケーシングと前記端側第二周割ケーシングとを接続している前記第一締結具を外す締結具外し工程と、前記第一組立分解治具の前記ジャッキ受け部と前記第二組立分解治具の前記固定部との間、又は、前記第一組立分解治具の前記固定部と前記第二組立分解治具の前記ジャッキ受け部との間にジャッキを配置するジャッキ配置工程と、前記ジャッキの両端部の間隔を広げて、前記中央側第二周割ケーシングから前記端側第二周割ケーシングを前記軸方向に離すジャッキ操作工程と、前記端側第二周割ケーシングが前記軸方向で離れている状態で前記中央側第二周割ケーシングを前記中央側第一周割ケーシングから離す中央側ケーシング外し工程と、を実行することを特徴とする。
【手続補正５】
【補正対象書類名】明細書
【補正対象項目名】００８２
【補正方法】変更
【補正の内容】
【００８２】
まず、以上で説明した複数の組立分解治具４０を準備する（Ｓ１１）。次に、複数の組立分解治具４０を排気ケーシング３０に固定する（Ｓ１２）。この際、排気ケーシング３０の下半ケーシング（第一周割ケーシング）３０ａと上半ケーシング（第二周割ケーシング）３０ｂとのうち、周方向Ｄｃの両端部における径方向（水平方向）Ｄｒの間隔が狭い一方の半ケーシング３０ａ(or３０ｂ)に組立分解治具４０（４０ａ）の固定部４１を固定する。各組立分解治具４０の固定部４１を一方の半ケーシング３０ａ(or３０ｂ)に固定すると、各組立分解治具４０の径方向受け面４７は、排気ケーシング３０の径方向Ｄｒに垂直な面となる。ここでは、図１１に示すように、周方向Ｄｃの両端部における径方向（水平方向）Ｄｒの間隔が上半ケーシング３０ｂよりも下半ケーシング３０ａの方が狭く、この下半ケーシング３０ａに組立分解治具４０を固定するものとする。なお、本実施形態の場合、ガスタービンの製造工程で、複数の組立分解治具４０（４０ａ，４０ｂ）が準備され、複数の組立分解治具４０が予め排気ケーシング３０に固定されるため、分解時における組立分解治具４０（４０ａ，４０ｂ）の準備工程（Ｓ１）及び固定工程（Ｓ２）と同様、組立時における組立分解治具４０の準備工程（Ｓ１１）及び固定工程（Ｓ１２）も、ガスタービンの製造工程に含まれることになる。